(57)【要約】【課題】靴の着脱を容易にする。【解決手段】靴１は、靴底１１と、靴底１１に結合された、足を収容するための収容部１２と、を有し、収容部１２は、靴底１１から離れる向きの第１伸長率が、靴底１１の長手方向と平行な向きの第２伸長率よりも大きな伸縮性布地を含む。収容部１２は、足に接する第１面に設けられた第１の伸縮性布地と、第１面と反対側の第２面に設けられた第２の伸縮性布地と、を有してもよい。【選択図】図１
2020072770.tif 000002
【特許請求の範囲】
【請求項１】
靴底と、
前記靴底に結合された、足を収容するための収容部と、
を有し、
前記収容部は、前記靴底から離れる向きの第１伸長率が、前記靴底の長手方向と平行な向きの第２伸長率よりも大きな伸縮性布地を含む靴。
【請求項２】
前記収容部は、
足に接する第１面に設けられた第１の前記伸縮性布地と、
前記第１面と反対側の第２面に設けられた第２の前記伸縮性布地と、
を有する、
請求項１に記載の靴。
【請求項３】
前記伸縮性布地は、前記靴底から離れる向きの織糸としてポリウレタンの糸、ポリエステルの糸、及び綿の糸を含み、前記靴底と平行な向きの織糸として、前記靴底から離れる向きよりも多くの綿の糸を含んでいる、
請求項１又は２に記載の靴。
【請求項４】
前記収容部は、前記靴底に結合しており、かつ前記靴底から離れる向きの伸長率が前記伸縮性布地の前記第１伸長率よりも小さい非伸縮性布地をさらに含む、
請求項１から３のいずれか一項に記載の靴。
【請求項５】
前記収容部に形成された開口部の内側に設けられており、前後方向の伸長率が左右方向の伸長率よりも大きな布地を含むタン部をさらに有する、
請求項１から４のいずれか一項に記載の靴。
【請求項６】
長手方向の伸長率が短手方向の伸長率よりも大きい靴紐をさらに有する、
請求項１から５のいずれか一項に記載の靴。
【請求項７】
第１方向の伸長率が第２方向の伸長よりも大きな伸縮性布地を準備する工程と、
前記伸縮性布地を洗浄する工程と、
洗浄した後の前記伸縮性布地を含む、足を収容するための収容部を形成する工程と、
前記伸縮性布地の前記第１方向が靴底から離れる方向になるように、前記収容部を前記靴底に結合する工程と、
を有する、
靴の製造方法。
【発明の詳細な説明】
【技術分野】
【０００１】
本発明は、布製の靴、及び靴の製造方法に関する。
【背景技術】
【０００２】
従来、布製の靴が知られている。布製の靴の多くは紐靴であり、結んだ靴紐をほどくことにより靴を着脱しやすくなる（例えば、特許文献１を参照）。
【先行技術文献】
【特許文献】
【０００３】
【特許文献１】特開平８−２５２１０１号公報
【発明の概要】
【発明が解決しようとする課題】
【０００４】
ところで、かかとの部分の布地が足首の方まで延伸している靴がある。このような靴を履いたり脱いだりする場合、結んだ靴紐をほどくだけでは足りず、靴紐を穴から外す必要が生じるので、靴の着脱に長時間を要するという問題があった。
【０００５】
そこで、本発明はこれらの点に鑑みてなされたものであり、靴の着脱を容易にすることができる靴を提供することを目的とする。
【課題を解決するための手段】
【０００６】
本発明の第１の態様においては、靴底と、前記靴底に結合された、足を収容するための収容部と、を有し、前記収容部は、前記靴底から離れる向きの第１伸長率が、前記靴底の長手方向と平行な向きの第２伸長率よりも大きな伸縮性布地を含む靴を提供する。
【０００７】
前記収容部は、足に接する第１面に設けられた第１の前記伸縮性布地と、前記第１面と反対側の第２面に設けられた第２の前記伸縮性布地と、を有してもよい。
【０００８】
前記伸縮性布地は、前記靴底から離れる向きの織糸としてポリウレタンの糸、ポリエステルの糸、及び綿の糸を含み、前記靴底と平行な向きの織糸として、前記靴底から離れる向きよりも多くの綿の糸を含んでいてもよい。
【０００９】
また、前記収容部は、前記靴底に結合しており、かつ前記靴底から離れる向きの伸長率が前記伸縮性布地の前記第１伸長率よりも小さい非伸縮性布地をさらに含んでもよい。
【００１０】
上記の靴は、前記収容部に形成された開口部の内側に設けられており、前後方向の伸長率が左右方向の伸長率よりも大きな布地を含むタン部をさらに有してもよい。また、上記の靴は、長手方向の伸長率が短手方向の伸長率よりも大きい靴紐をさらに有してもよい。
【００１１】
本発明の第２の態様においては、第１方向の伸長率が第２方向の伸長よりも大きな伸縮性布地を準備する工程と、前記伸縮性布地を洗浄する工程と、洗浄した後の前記伸縮性布地を含む、足を収容するための収容部を形成する工程と、前記伸縮性布地の前記第１方向が靴底から離れる方向になるように、前記収容部を前記靴底に結合する工程と、を有する、靴の製造方法を提供する。
【発明の効果】
【００１２】
本発明によれば、靴の着脱を容易にすることができるという効果を奏する。
【図面の簡単な説明】
【００１３】
【図１】本実施の形態に係る靴の構成を示す図である。
【図２】靴を履く動作について説明するための図である。
【発明を実施するための形態】
【００１４】
［靴１の構成］
図１は、本実施の形態に係る靴１の構成を示す図である。靴１は、靴底１１と、収容部１２と、タン部１３と、靴紐１４とを有する。
【００１５】
収容部１２は、靴底１１に結合された、足を収容するための空間を有する部分である。収容部１２は、伸縮性布地部１２１と非伸縮性布地部１２２とを有する。伸縮性布地部１２１の上部には、足を挿入するための開口部１２３が形成されている。開口部１２３は、ユーザが靴１を履いた状態で足首に接する円形状の領域と、円形状の領域から靴１の先端に向けて延伸する長尺状の領域とを有する。
【００１６】
伸縮性布地部１２１は、ユーザが足を挿入した状態で足の甲、指及び踵を包み込む本体部分である。伸縮性布地部１２１は、靴底１１から離れる向きの伸長率（第１伸長率）が、靴底１１の長手方向と平行な向きの伸長率（第２伸長率）よりも大きな伸縮性布地を含む部分である。
【００１７】
非伸縮性布地部１２２は、伸縮性布地部１２１と靴底１１との間に設けられている。非伸縮性布地部１２２は靴底１１に結合しており、かつ靴底１１から離れる向きの伸長率が伸縮性布地の第１伸長率よりも小さい非伸縮性布地を含んでいる。非伸縮性布地部１２２は、例えば長尺状のスウェードであり、糸により伸縮性布地部１２１と結合されている。また、非伸縮性布地部１２２は、接着剤又は糸により靴底１１と結合されている。
【００１８】
伸縮性布地部１２１の素材として用いられている伸縮性布地は、靴底１１から離れる向きの織糸としてポリウレタンの糸、ポリエステルの糸、及び綿の糸を含んでいる。例えば、伸縮性布地は、靴底１１から離れる向きの織糸として、伸びやすいポリウレタン、及び収縮する力がポリウレタンよりも強いポリエステルを綿の糸で巻いた糸が用いられている。
【００１９】
また、伸縮性布地部１２１は、靴底１１と平行な向きの織糸として、靴底１１から離れる向きよりも多くの綿の糸を含んでいる。例えば、伸縮性布地部１２１は、靴底１１と平行な向きの織糸としてポリウレタンの糸及びポリエステルの糸を含まず、綿の糸により構成されている。伸縮性布地部１２１は、靴底１１から離れる向きの織糸の第１伸長率が、靴底１１と平行な向きの織糸の第２伸長率よりも大きいので、靴底１１から離れる向きに伸びやすく、靴底１１と平行な向きには、靴底１１から離れる向きに比べて伸びにくいという性質を有している。
【００２０】
伸縮性布地部１２１が、靴底１１から離れる向きに伸びやすい性質を有する伸縮性布地で形成されていることにより、ユーザが靴１を着脱しやすくなる。例えば、ユーザが、伸縮性布地部１２１が伸縮しない布地で形成されている靴を履く場合には靴紐の一部を紐穴から外す必要があったとしても、本実施の形態の靴１を履く場合には、靴紐を紐穴から外すことなく足を挿入することができる。
【００２１】
また、伸縮性布地部１２１が、靴底１１と平行な向きに伸びにくい性質を有する伸縮性布地で形成されていることにより、靴１の製造工程において加工しやすいという利点がある。例えば、靴１の製造者が伸縮性布地部１２１と非伸縮性布地部１２２とを糸で結合する際に、伸縮性布地部１２１が非伸縮性布地部１２２の長手方向に伸びてしまうと、伸縮性布地部１２１と非伸縮性布地部１２２との間の位置ずれが生じてしまう。この点、伸縮性布地部１２１が、靴底１１と平行な向きに伸びにくい性質を有する伸縮性布地で形成されている場合には、伸縮性布地部１２１と非伸縮性布地部１２２との間の位置ずれが生じないので、加工しやすく品質も向上する。
【００２２】
なお、伸縮性布地部１２１は、足に接する側の第１面に設けられた第１の伸縮性布地と、第１面と反対側の外部に露出する第２面に設けられた第２の伸縮性布地とが重ねられた状態で形成されている。第１の伸縮性布地及び第２の伸縮性布地は、伸縮性に関して同様の性質を有する。すなわち、第１の伸縮性布地及び第２の伸縮性布地は、共に、靴底１１から離れる向きの伸長率が、靴底１１と平行な向きの伸長率よりも大きな伸縮性布地である。
【００２３】
また、第１の伸縮性布地の靴底１１から離れる向きの伸長率と、第２の伸縮性布地の靴底１１から離れる向きの伸長率とは等しい。同様に、第１の伸縮性布地の靴底１１と平行な向きの伸長率と、第２の伸縮性布地の靴底１１と平行な離れる向きの伸長率とは等しい。
【００２４】
タン部１３は、ユーザが靴１を装着した状態で、靴紐１４と足の甲との間に位置し、足の甲の上部に接する長尺状の部材である。タン部１３は、例えば、収容部１２の下方において、靴１の先端から後方に延伸している。具体的には、タン部１３は、収容部１２に形成された開口部１２３における長尺状の領域の下方（すなわち、足の甲側）に設けられている。
【００２５】
タン部１３は、靴１の前後方向の伸長率が靴１の左右方向の伸長率よりも大きな伸縮性布地を含む。タン部１３を構成する伸縮性布地は、伸縮性に関して伸縮性布地部１２１と同様の性質を有する。すなわち、タン部１３を構成する伸縮性布地は、前後方向の織糸としてポリウレタンの糸、ポリエステルの糸、及び綿の糸を含んでいる。また、タン部１３を構成する伸縮性布地は、左右方向の織糸として、前後方向よりも多くの綿の糸を含んでいる。
【００２６】
例えば、タン部１３を構成する伸縮性布地は、前後方向の織糸として、ポリウレタン及びポリエステルを綿の糸で巻いた糸が用いられている。また、タン部１３を構成する伸縮性布地は、左右方向の織糸として、ポリウレタンの糸及びポリエステルの糸を含まず、綿の糸により構成されている。タン部１３の前後方向の伸長率が左右方向の伸長率よりも大きな伸縮性布地で形成されていることにより、ユーザが靴１を履く際にタン部１３を引っ張ることで足を挿入しやすい状態にすることができる。
【００２７】
靴紐１４としては、任意の紐を使用することができるが、伸縮性がある紐であることが好ましい。靴紐１４は、例えば、伸縮性に関して伸縮性布地部１２１と同様の性質を有する伸縮性布地で形成されており、長手方向の伸長率が短手方向の伸長率よりも大きい。靴紐１４がこのような性質を有することで、ユーザが靴を着脱する際に、収容部１２を大きく変形させることができるので、着脱のしやすさがさらに向上する。
【００２８】
［靴１の製造方法］
靴１の製造方法は、伸縮性布地部１２１を形成するまでの工程に特徴がある。伸縮性布地部１２１を構成する伸縮性布地は、水に濡れることにより大きさが変化する。この際、伸縮性布地の縦方向と横方向で織糸が異なるため、縦方向と横方向の大きさの変化量が異なる。その結果、水に濡れる前に形成した伸縮性布地部１２１の形状が、水に濡れた後にどのように変化するかを製造段階で特定することが容易ではない。特に、収容部１２は複雑な形状をしているため、水に濡れた後の形状を管理することは困難である。
【００２９】
そこで、靴１の製造方法においては、第１方向の伸長率が第２方向の伸長率よりも大きな伸縮性布地を準備した後に、伸縮性布地を洗浄する工程を実行する。伸縮性布地を洗浄した後に乾燥させ、伸縮性布地の形状が安定した後に、洗浄した後の伸縮性布地を含む、足を収容するための収容部１２を形成する。この際、伸縮性布地の第１方向が靴底１１から離れる方向になるように、収容部１２を形成する。具体的には、洗浄した後の伸縮性布地を所定の形状に切り取り、非伸縮性布地部１２２を形成する非伸縮性布地と縫合することにより収容部１２を形成する。
【００３０】
その後、伸縮性布地の第１方向が靴底１１から離れる方向になるように、伸縮性布地部１２１及び非伸縮性布地部１２２を含む収容部１２を靴底１１に結合する。このような工程を経て靴１を製造することにより、伸縮性布地の形状が安定した状態の伸縮性布地部１２１が非伸縮性布地部１２２に結合された靴１を製造できるので、加工作業の効率が向上するとともに品質が向上する。
【００３１】
［靴１を履く動作］
図２は、靴１を履く動作について説明するための図である。図２においては、靴紐１４も伸縮性を有する靴１を示している。図２（ａ）に示すように、ユーザが開口部１２３付近の伸縮性布地部１２１を引っ張ることで伸縮性布地部１２１及び靴紐１４が伸長する。その結果、図２（ｂ）に示すように、開口部１２３が広がり、ユーザが足を挿入しやすい状態になる。
【００３２】
図２（ｂ）は、ユーザが開口部１２３を広げた状態で、足を挿入する状態を示している。伸縮性布地部１２１が、矢印で示す向きに伸びることにより、開口部１２３が大きく広がる。更に靴紐１４も長手方向に伸びることで、矢印で示す向きに伸びて、靴１には、ユーザが足を挿入するために十分な空間が生じる。図２（ｃ）は、ユーザが靴１を履き終えた状態を示す図である。この状態では伸縮性布地部１２１が初期状態に戻り、ユーザの足に開口部１２３がフィットした状態になる。
【００３３】
［本実施の形態の靴１による効果］
以上説明したように、靴１における伸縮性布地部１２１は、靴底１１から離れる向きの伸長率が、靴底１１の長手方向と平行な向きの伸長率よりも大きな伸縮性布地により構成されている。伸縮性布地部１２１がこのような伸縮性布地により構成されていることで、ユーザが靴１を履いたり脱いだりする際に開口部１２３を広げやすくなり、靴１に足を挿入したり靴１から足を抜いたりしやすくなる。また、伸縮性布地部１２１が、靴底１１の長手方向と平行な向きの伸長率が小さいので、非伸縮性布地部１２２と結合させる作業をしやすく、品質が向上する。
【００３４】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００３５】
例えば、上記の説明においては、収容部１２が伸縮性布地部１２１及び非伸縮性布地部１２２を有する例を示したが、靴１は、収容部１２が非伸縮性布地部１２２を有することなく、伸縮性布地部１２１が靴底１１に直接結合した構成を有してもよい。また、上記の説明においては、伸縮性布地部１２１における靴底１１の長手方向と平行な向きに伸縮性がある織糸が含まれていない例を示したが、伸縮性布地部１２１における靴底１１の長手方向と平行な向きに伸縮性がある織糸が含まれていてもよい。また、伸縮性布地部１２１を構成する伸縮性布地に含まれる伸縮性がある織糸としてポリウレタンの糸及びポリエステルの糸を綿の糸で巻いた糸を例示したが、伸縮性がある糸であれば、任意の糸を使用することができる。
【符号の説明】
【００３６】
１  靴
１１  靴底
１２  収容部
１３  タン部
１４  靴紐
１２１  伸縮性布地部
１２２  非伸縮性布地部
１２３  開口部
【図１】
2020072770.tif 000003
【図２】
2020072770.tif 000004